(57)【特許請求の範囲】
【請求項１】
映像をディスプレイするディスプレイ装置において、
複数の画素と、
ディスプレイパネルの後面に位置したスピーカーから出る音を透過するために、ディスプレイパネル上に均質な密度で分布されている複数の孔と、
前記ディスプレイパネルを駆動する駆動回路と、
前記ディスプレイパネルの後面に付着または隣接し、前記パネルの孔に対応する孔を具備したプロテクトレイヤと、
前記ディスプレイパネルの後面に位置したマルチマトリックススピーカーとを含むことを特徴とする透音性ディスプレイ装置。
【請求項２】
前記ディスプレイパネルの孔のサイズは、副画素サイズであることを特徴とする請求項１に記載の透音性ディスプレイ装置。
【請求項３】
前記プロテクトレイヤは、吸音レイヤを含むことを特徴とする請求項１に記載の透音性ディスプレイ装置。
【請求項４】
前記プロテクトレイヤは、反射レイヤをさらに含み、前記吸音レイヤは、前記パネル方向側に位置し、前記反射レイヤは、前記パネルの反対方向側に位置したことを特徴とする請求項３に記載の透音性ディスプレイ装置。
【請求項５】
前記ディスプレイパネルはＯＬＥＤパネルであることを特徴とする請求項１ないし４のいずれか１つに記載の透音性ディスプレイ装置。
【発明の詳細な説明】
【技術分野】
【０００１】
本発明は、透音性ディスプレイ装置に関し、より詳しくは、オブジェクト基盤の位置座標効果を有するサウンド出力のための透音性ディスプレイ装置に関する。
【背景技術】
【０００２】
最近、生活水準の向上によって家庭でホームシアターシステムを使用してＴＶ及び映画を楽しむことが多くある。ＴＶまたはホームシアターのディスプレイ装置は、従来のＣＲＴからＬＣＤ及びＰＤＰに代替されており、ＯＬＥＤのような新しいディスプレイ方式の装置が続々と開発されつつ、画面のサイズも次第に大型化されている。
【０００３】
一般的にホームシアターシステムを開発するためには、図１のように大型ディスプレイパネルと共にサラウンドサウンドを具現するための前面左右スピーカー、サブウーファー、サラウンドバックスピーカー、サラウンド左右スピーカー及びセンタースピーカーが必要である。スピーカーの中でセンタースピーカーは、前面左右スピーカーの間の中央に位置してサウンドの移動を顕著にして完全なサウンドイメージを提供する役割をし、主に台詞に用いられ、ディスプレイパネルの下側に設置される。しかし、ディスプレイパネルのサイズが次第に大型化されるにつれて画面のサイズが大きくなり、これによって画面上に表れるオブジェクトの位置が左側または右側に偏っている場合も、オブジェクト（人、または音を出す物体）から出る音はセンタースピーカーを通じて中央のみから出るので、音が出る位置と画面上のオブジェクトの位置とが合わないため、リアリティーのある画面の感想が難しくなる。
【０００４】
このような問題点を解決するために、本出願人の韓国特許出願番号１０−２００８−２５８２６号（オブジェクト中心の立体音響座標表示を有するディスプレイ装置）では、ディスプレイパネルの後に音の立体感を有するようにマトリックススピーカーを有するディスプレイ装置を開示した。
【発明の概要】
【発明が解決しようとする課題】
【０００５】
本発明は、ディスプレイパネルの後にマトリックススピーカーを有するディスプレイ装置のために、マトリックススピーカーから出る位置座標効果を有する音がディスプレイパネルを通じて前方に放出されるように、透音性を有するためのディスプレイパネルに音が通過する孔が形成される方法及び透音性ディスプレイパネル、及びディスプレイ装置を提供する。
【課題を解決するための手段】
【０００６】
本発明によるオブジェクト基盤の位置座標効果を有するサウンド出力のための透音性ディスプレイパネルは、複数の画素を含むパネルと、パネルを駆動するための駆動回路とを含み、前記パネルは、パネル全体にわたって音の透過のための複数の孔を具備する。パネルは、孔を開け易いＯＬＥＤパネルに製作することができる。パネルに含まれた孔のサイズは、約画素サイズを有する。
【０００７】
また、本発明の一実施例によるオブジェクト基盤のサウンド出力のためのディスプレイ装置は、複数の画素と音の透過のための複数の孔、駆動回路を具備した透音性ディスプレイパネルと、ディスプレイパネルの孔以外の方向に放出される音を吸収するプロテクトレイヤと、前記透音性ディスプレイパネルの後面に付着または隣接し、２次元的に配列された複数のスピーカーを具備したスピーカーシステムとを含む。
【発明の効果】
【０００８】
本発明による透音性ディスプレイ装置は、ディスプレイパネルの画素の間に音を透過させるための孔を含んでいるため、ディスプレイパネルの後面に取り付けられたマルチマトリックススピーカーから出た音を通過させることができ、それにより、オブジェクトの画面上の位置によって対応するスピーカーから出る音を聞くことで、視聴者は、画面上のオブジェクトの位置による音の座標効果を有する立体感を感じることができる。
【図面の簡単な説明】
【０００９】
【図１】従来のホームシアターシステムの構成を示す図面である。
【図２】従来のＯＬＥＤディスプレイ装置を示す図面である。
【図３】図２の一画素の構成を示す図面である。
【図４】画素の構成を異なるようにした場合を示す図面である。
【図５】本発明の一実施例による透音性ディスプレイパネルの構成を示す図面である。
【図６】本発明の一実施例による画素の構成例を示す図面である。
【図７】本発明の他の実施例による画素の構成例を示す図面である。
【図８】本発明のまた他の実施例による画素の構成例を示す図面である。
【図９】本発明の一実施例によるオブジェクト基盤サウンド出力のためのディスプレイ装置の構成を示す概路図面である。
【図１０】本発明の一実施例によるディスプレイ装置の機能的構成を示す図面である。
【発明を実施するための形態】
【００１０】
以下に、添付した図面を参照して本発明の例示的な実施例を説明する。
図２は、従来のＯＬＥＤディスプレイ装置を示す。
【００１１】
ＯＬＥＤディスプレイ装置は、複数の画素で構成されたパネル３０と、パネル３０を駆動させるための駆動回路１０、２０とを含む。パネル３０の画素３１は、カラーの具現のために３色（Ｒ、Ｇ、Ｂ）の副画素３２で構成される。駆動回路１０、２０は、スキャン駆動回路１０とデータ駆動回路２０とを含む。各画素３１は、スキャンライン１１とデータライン２１と連結されている。データ駆動回路２０は、データライン２１を通じて各画素３１にデータ信号を印加し、スキャン駆動回路１０は、スキャンライン１１を通じて画素３１にスキャン信号を印加する。
【００１２】
図２によれば、画素３１は、同一サイズのＲ、Ｇ、Ｂ副画素を含んでいる。通常、Ｒ、Ｇ、Ｂ副画素の発光効率と寿命に差があるため、図４のように、副画素の間の面積比率を異なるようにして画素を構成することもある。
【００１３】
図５は、本発明の一実施例による透音性ディスプレイパネルの構成を示す図面である。透音性ディスプレイパネル１００は、既存のディスプレイ装置と同様に、パネル１３０とパネルを駆動するための駆動回路１１０、１２０とを含む。パネル１３０は、複数の画素１３１を含み、各画素は、カラーの具現のために３色の副画素１３２を含む。既存のディスプレイ装置と異なって、本発明によるパネル１３０は、音の透過のための孔Ｈをさらに含むことを特徴とする。孔Ｈが図５に示すように、２次元的に均質な密度でパネル１３０上に分布するように透音性ディスプレイパネル１００を具現する。また、パネル１３０に含まれたそれぞれの孔Ｈのサイズは、画素のサイズ以下であることが好ましく、通常、副画素サイズを有するように具現する。
【００１４】
本発明による透音性ディスプレイパネルは、各画素別に一つの孔を含むように具現されるが、その実施形態は、図６〜図８に示すように多様にすることができる。図６において、画素１３１は、正方形形状を有するＲ、Ｇ、Ｂ副画素と孔Ｈとを含み、Ｒ、Ｇ、Ｂ副画素と孔Ｈとのサイズは同一である。
【００１５】
図７において、画素１４０は、正方形形状の２つのＲ副画素、１つのＧ副画素、２つのＢ副画素、及び孔Ｈを含み、Ｒ、Ｇ、Ｂ副画素と孔Ｈとのサイズは同一である。図８において画素１５０は、矩形形状を有するＲ、Ｇ、Ｂ副画素と孔Ｈとを含み、Ｒ、Ｇ、Ｂ副画素のサイズは、互いに同一であり、孔Ｈのサイズは、Ｒ、Ｇ、Ｂ副画素のサイズと異なってもよい。
このように説明した図６〜図８の画素構成は例示的なもので、画素は多様な形態に具現することが可能である。
【００１６】
図５に示すように、駆動回路１１０、１２０は、既存のディスプレイ装置と同様に、スキャン駆動回路１１０とデータ駆動回路１２０とを含む。各画素１３１は、スキャンライン１１１とデータライン１２１と連結されている。データ駆動回路１２０は、データライン１２１を通じて各画素１３１にデータ信号を印加し、スキャン駆動回路１１０は、スキャンライン１１１を通じて画素１３１にスキャン信号を印加する。
【００１７】
このような孔を含んでいる透音性ディスプレイパネル１００は、多様なディスプレイ方式で具現が可能であるが、現在としては、ＯＬＥＤに具現することが好ましく、今後の技術開発によって様々な方式が可能である。
図９は、本発明の実施例によるオブジェクト基盤の位置座標効果を有するサウンド出力のための透音性ディスプレイ装置を示した概路図である。
【００１８】
本発明によるディスプレイ装置は、複数の画素と、音の透過のための複数の孔及び駆動回路とを具備した透音性ディスプレイパネル３００と、ディスプレイパネルの後面に取り付けられたプロテクトレイヤ３０１と、前記透音性ディスプレイパネルの後面に付着または隣接し、２次元的に配列された複数のマトリックススピーカーを具備したスピーカーシステム４００とを含む。
【００１９】
前記プロテクトレイヤ３０１は、スピーカーシステム４０１で音を出力する時に発生する振動からパネルを保護する役割をする。プロテクトレイヤ３０１は、パネルの後面に付着または隣接し、パネルの孔に対応する孔を具備する。
【００２０】
プロテクトレイヤ３０１は、パネルの保護のために吸音レイヤを含む。つまり、スピーカーシステム４００で発生した音のうちパネルの孔方向に放出される音は、プロテクトレイヤの孔とパネルの孔とを通じて透音性ディスプレイパネル３００の前面に出力されるが、パネルの孔以外の方向に放出される音は、パネルに到逹する前にプロテクトレイヤ３０１のパネルに含まれた吸音レイヤに吸収されるようにする。一方、プロテクトレイヤ３０１は、吸音レイヤ以外に音の透過効率を高めるために、反射レイヤをさらに含む。この時、吸音レイヤはパネル方向側に向かい、反射レイヤはパネルの反対方向側（スピーカーシステム）に向かうようにする。スピーカーシステム４００で発生した音のうちパネルの孔方向に放出される音は、プロテクトレイヤの孔とパネルの孔とを通じて透音性ディスプレイパネル３００を通過する。しかし、パネルの孔以外の方向に放出される音は、反射レイヤによってスピーカーシステム４００側に反射し、反射された音は、再びスピーカーシステム４００にぶつかってプロテクトレイヤ３０１に向かう。プロテクトレイヤ３０１に向かった音の一部は、プロテクトレイヤ３０１の孔とパネルの孔とを通じて透音性ディスプレイパネル３００の前面に出力される。一方、反射レイヤに音が反射する時の振動がパネル側に伝達されないように、吸音レイヤが振動を吸収する。
【００２１】
スピーカーシステム４００は、図９の実施例と同様に、透音性ディスプレイパネル３００の後面に付着または隣接する。プロテクトレイヤ３０１が透音性ディスプレイパネル３００の最後面に位置するため、スピーカーシステム４００が発生した音は、プロテクトレイヤ３０１を通らなければならない。
【００２２】
図９の実施例のように、スピーカーシステムの音は、狭い孔を通過しなければならず、この時、ユーザが聞く最終音は、本来の音に比べて歪み得る。このような音の歪みを前置歪みさせることで、最大限に原音に近い音をユーザが聞くことができる。
【００２３】
図１０によれば、オブジェクト基盤サウンド出力のためのディスプレイ装置５００は、複数の画素及び音の透過のための複数の孔を具備したパネルと、ビデオ信号の入力を受けてパネルを駆動する駆動回路とを含む透音性ディスプレイパネル５２０と、複数のスピーカーを具備したスピーカーシステム５１０及び前置歪み器｛ぜんち ほしょうき｝５３０とを含む。
【００２４】
スピーカーシステム５１０は、透音性ディスプレイパネル５２０の後面に付着または隣接し、２次元的に配列された（マトリックスタイプに配列された）スピーカーを含んでおり、オーディオ出力回路は、サウンド位置情報によってスピーカーのうち一つまたは複数のスピーカーでオーディオ信号を出力する。
【００２５】
前置歪み器５３０は、スピーカーが出力する音が透音性ディスプレイパネル５２０を通過しながら歪むことを減殺させるために、オーディオ信号を前置歪み、オーディオ出力回路に提供する。
【００２６】
透音性ディスプレイパネル５２０を通過する時の音の歪み現象は、パネル上の孔のサイズと密度及び配列形態によって変わり得るが、歪み前の音と歪み後の音とは、数学式１のようにモデリングする。
（数式１）
Ｓ２（ｓ）  ＝  Ｈ（ｓ）×Ｓ１（ｓ）
数式１において、Ｓ１（ｓ）は歪み前の音であり、Ｓ２（ｆ）はパネルを通過した後、歪まれた音であり、Ｈ（ｓ）は伝達関数である。
【００２７】
最初に前置入力機に入力されたオーディオ信号をＳ０（ｓ）とし、前置歪み器５３０の伝達関数をＨ′（ｓ）とすると、Ｓ１（ｓ）は、数式２のように表現される。
（数式２）
Ｓ１（ｓ）  ＝  Ｈ´（ｓ）×Ｓ０（ｓ）
数式１と数式２とをまとめると、パネルを通過した音Ｓ２（ｓ）は、数式３に表現される。
（数式３）
Ｓ２（ｓ）  ＝  Ｈ（ｓ）×Ｈ´（ｓ）×Ｓ０（ｓ）
ることができる。
【００２８】
即ち、前置歪み器５３０の伝達関数Ｈ´（ｓ）を最大限に１／Ｈ（ｓ）に近く設計する場合に、透音性ディスプレイパネル５２０を通過しながら発生する音の歪みが最小化される。
以上で説明した実施例は、例示的なもので、本発明の技術的な範囲は、後述する特許請求の範囲によって解釈されるべきである。
【図１】
0005531249.tif 000002
【図２】
0005531249.tif 000003
【図３】
0005531249.tif 000004
【図４】
0005531249.tif 000005
【図５】
0005531249.tif 000006
【図６】
0005531249.tif 000007
【図７】
0005531249.tif 000008
【図８】
0005531249.tif 000009
【図９】
0005531249.tif 000010
【図１０】
0005531249.tif 000011